(57)【要約】【課題】光トランシーバの機種に応じて、ホスト装置から光トランシーバに適正な電源が供給できるようにすること。【解決手段】ホスト装置４のケージ２１内に収容可能なプラガブル型の光トランシーバ２であって、光トランシーバ２がケージ２１内に収容された時、ホスト装置４の電気コネクタＢ４と係合し、そしてホスト装置４の抵抗２８を介してプルアップされる端子Ａ４と、端子Ａ４と接地との間に設けられた抵抗１６とを備え、光トランシーバ２がケージ２１内に収容された時、端子Ａ４の電位がホスト装置４により検知され、そして検知された電位に応じてホスト装置４から電源供給を受ける。【選択図】図１
2008227863.tif 000002
【特許請求の範囲】
【請求項１】
ホスト装置のケージ内に収容可能なプラガブル型の光トランシーバであって、
前記ホスト装置の前記ケージに設けられた電気コネクタと係合し、この係合に応じて該ホスト装置の有するプルアップ用の第１の抵抗に接続される一端子と、
前記一端子と接地との間に設けられた第２の抵抗と
を備え、
前記一端子の電位が前記ホスト装置により検知され、そして該検知された電位に応じて該ホスト装置から電源供給を受けることを特徴とする光トランシーバ。
【請求項２】
前記第２の抵抗は、当該光トランシーバの機種に応じた抵抗値を有することを特徴とする請求項１に記載の光トランシーバ。
【発明の詳細な説明】
【技術分野】
【０００１】
本発明は、光トランシーバに関する。
【背景技術】
【０００２】
従来より、非特許文献１に開示されている光トランシーバ等、種々の形式の光トランシーバが提案されている。
【非特許文献１】XENPAK 10 Gigabit Ethernet MSA, A Cooperation Agreement for 10Gigabit Ethernet Transceiver Package, Issue 3.0, P.24, Fig.10, [online]September 18, 2002, XenPak, XENPAK MSA Rev 3.0, [retrieved on 2006-11-13],Retrieved from the Internet: <URL:http://www.xenpak.org/MSA/XENPAK_MSA_R3.0.pdf>
【発明の開示】
【発明が解決しようとする課題】
【０００３】
ところで、非特許文献１に開示されている形式の光トランシーバであっても、長距離通信対応の光トランシーバと短距離通信対応の光トランシーバとが同一のホスト装置に装着できる場合がある。このような場合、長距離通信対応の光トランシーバに供給する電源は、受信感度向上のため短距離通信対応の光トランシーバに比較して高く設定されている可能性がある。このため、短距離通信対応の光トランシーバが長距離通信対応の光トランシーバとして誤ってホスト装置に装着された場合、長距離通信対応の光トランシーバに供給される電源がこの短距離通信対応の光トランシーバに供給されるので、短距離通信対応の光トランシーバに過電圧が供給される惧れが生じる。そこで本発明の目的は、光トランシーバの機種に応じて、ホスト装置から光トランシーバに適正な電源が供給できるようにすることである。
【課題を解決するための手段】
【０００４】
本発明は、ホスト装置のケージ内に収容可能なプラガブル型の光トランシーバであって、前記ホスト装置の前記ケージに設けられた電気コネクタと係合し、この係合に応じて該ホスト装置の有するプルアップ用の第１の抵抗に接続される一端子と、前記一端子と接地とを接続する第２の抵抗とを備え、前記一端子の電位が前記ホスト装置により検知され、そして該検知された電位に応じて該ホスト装置から電源供給を受けることを特徴とする。そして、前記第２の抵抗は、当該光トランシーバの機種に応じた抵抗値を有するのが好ましい。
【０００５】
従って、光トランシーバが、例えば短距離通信対応や長距離通信対応等の何れの機種であっても、光トランシーバの機種毎に設けられた第２の抵抗の抵抗値によって、適正な電源がホスト装置から光トランシーバに供給される。このため、例えば、光トランシーバが短距離通信対応の機種であっても、過電圧となる電源がこのような光トランシーバに誤って供給される、という事態が回避できる。
【発明の効果】
【０００６】
本発明によれば、光トランシーバの機種に応じて、ホスト装置から光トランシーバに適正な電源が供給できる。
【発明を実施するための最良の形態】
【０００７】
以下、図面を参照して、本発明に係る好適な実施形態について詳細に説明する。なお、図面の説明において、可能な場合には、同一要素には同一符号を付し、重複する説明を省略する。図１は、実施形態に係る光通信システム１の電気的な接続関係を説明するための図である。光通信システム１は、光トランシーバ２とホスト装置４とを備えており、光トランシーバ２は、ホスト装置４に着脱可能に装着されるプラガブル型の光トランシーバである。
【０００８】
まず、光トランシーバ２の構成を説明する。光トランシーバ２は、端子Ａ１〜端子Ａ４、信号処理回路１０、受光アセンブリ１２、発光アセンブリ１４及び抵抗１６（第２の抵抗）を有しており、光ファイバ６及び光ファイバ８と接続可能である。端子Ａ１〜端子Ａ４は、光トランシーバ２がホスト装置４に装着されている場合、ホスト装置４の電気コネクタＢ１〜電気コネクタＢ４にそれぞれ接続される。端子Ａ１は、電源Ｅ１に接続され、電源Ｅ１は、光トランシーバ２の各構成部に電源を供給する。端子Ａ２及び端子Ａ３は、コンデンサ１８及びコンデンサ１９にそれぞれ接続され、端子Ａ４は抵抗１６の一端子に接続されている。
【０００９】
信号処理回路１０は、コンデンサ１８を介して端子Ａ２に接続されており、また、コンデンサ１９を介して端子Ａ３に接続されている。信号処理回路１０は、受光アセンブリ１２から入力される電気信号に対し例えば復号化等の信号処理を行い、この信号処理後の電気信号をホスト装置４のパケットトランシーバ回路２４にコンデンサ１８を介して出力する。信号処理回路１０は、ホスト装置４のパケットトランシーバ回路２４からコンデンサ１９を介して入力される電気信号に対し例えば符号化等の信号処理を行い、この信号処理後の電気信号を発光アセンブリ１４に出力する。コンデンサ１８及びコンデンサ１９は、それぞれ入力する電気信号から直流成分を除去して出力する。
【００１０】
受光アセンブリ１２及び発光アセンブリ１４は、共に信号処理回路１０に接続されており、光ファイバ６及び光ファイバ８のそれぞれと着脱可能に接続されている。受光アセンブリ１２は、光ファイバ６から入力される光信号を電気信号に変換し、この電気信号を信号処理回路１０に出力する。発光アセンブリ１４は、信号処理回路１０から出力される電気信号を光信号に変換し、この光信号を光ファイバ８に出力する。
【００１１】
抵抗１６は、一端が接地されており、他端が端子Ａ４に接続されている。抵抗１６は、光トランシーバ２の機種（例えば、長距離通信型か短距離通信型等の機種であり、以下同様。）に応じた抵抗値を有する。光トランシーバ２がホスト装置４に装着されている場合、抵抗１６は、端子Ａ４及び電気コネクタＢ４を介して、ホスト装置４のプリアンプ３０、抵抗２８及びトランジスタ２６のベースに接続される。
【００１２】
次に、ホスト装置４の構成を説明する。ホスト装置４は、電気コネクタＢ１〜電気コネクタＢ４、筐体２０、ケージ２１、電源供給回路２２、パケットトランシーバ回路２４、トランジスタ２６、プルアップ用の抵抗２８（第１の抵抗）、プリアンプ３０、ＡＤコンバータ３２及び制御回路３４を有する。筐体２０は、上記のケージ２１〜制御回路３４を収容する。ケージ２１は、ホスト装置４に装着された光トランシーバ２を収容するためのケースであり、電気コネクタＢ１〜電気コネクタＢ４は、ケージ２１内に設けられている。電気コネクタＢ１〜電気コネクタＢ４は、ケージ２１に収容された光トランシーバ２の端子Ａ１〜端子Ａ４とそれぞれ係合する。この場合、筐体２の端子Ａ１〜端子Ａ４は、ホスト装置４の電気コネクタＢ１〜電気コネクタＢ４のそれぞれと導通する。すなわち、光トランシーバ２がホスト装置４に装着されている場合、光トランシーバ２は、ケージ２１に収容され、光トランシーバ２の端子Ａ１〜端子Ａ４は、ホスト装置４のケージ２１に設けられた電気コネクタＢ１〜電気コネクタＢ４のそれぞれと導通する。
【００１３】
電源供給回路２２は、電源Ｅ２等、ホスト装置４の各構成部に電源を供給する。また、電源供給回路２２は、光トランシーバ２がホスト装置４に装着されている場合には電気コネクタＢ１及び端子Ａ１を介して光トランシーバ２にも電源Ｅ１を供給する。この場合、電源供給回路２２は、制御回路３４からの信号（後述の検出信号）に応じて光トランシーバ２に電源Ｅ１を供給する。パケットトランシーバ回路２４は、電気コネクタＢ２及び電気コネクタＢ３の各々に接続されている。パケットトランシーバ回路２４は、光トランシーバ２がホスト装置４に装着されている場合、光トランシーバ２の信号処理回路１０からの電気信号を端子Ａ２及び電気コネクタＢ２を介して受信し、また、信号処理回路１０に対し電気コネクタＢ３及び端子Ａ３を介して電気信号を送信する。
【００１４】
トランジスタ２６のベースは、電気コネクタＢ４に接続されており、光トランシーバ２がホスト装置４に装着されている場合、電気コネクタＢ４及び端子Ａ４を介して、抵抗１６の一端に接続される。この抵抗１６の他端は接地されている。また、トランジスタ２６のベースは、プリアンプ３０に接続されており、抵抗２８の一端に接続されている。この抵抗２８の他端は、電源Ｅ２に接続されている。トランジスタ２６のエミッタは接地されており、コレクタは制御回路３４に接続されている。
【００１５】
プリアンプ３０は、トランジスタ２６のベースと電気コネクタＢ４とに接続されている。プリアンプ３０は、電気コネクタＢ４の電位（トランジスタ２６のベース電位）を増幅し、この電気コネクタＢ４の電位を示すアナログの電位信号をＡＤコンバータ３２に出力する。光トランシーバ２がホスト装置４に装着されている場合、電気コネクタＢ４の電位は、端子Ａ４の電位と同一となる。
【００１６】
ＡＤコンバータ３２は、プリアンプ３０と制御回路３４とに接続されている。ＡＤコンバータ３２は、プリアンプ３０から出力される電気コネクタＢ４の電位を示す電位信号をデジタル信号に変換し、制御回路３４に出力する。制御回路３４は、ＡＤコンバータ３２から入力される電気コネクタＢ４の電位を示すデジタル信号に基づいて、ホスト装置４に接続された光トランシーバ２の機種を検出し、この検出結果を示す検出信号を電源供給回路２２に出力する。電源供給回路２２は、制御回路３４から入力される検出信号に基づいて、光トランシーバ２の機種に応じた適正な値の電源Ｅ１を光トランシーバ２に供給する。
【００１７】
次に、実施形態に係る光通信システム１の動作を説明する。光トランシーバ２がホスト装置４に装着されていない場合、ホスト装置４の電気コネクタＢ４は、光トランシーバ２の端子Ａ４に接続されていないので、トランジスタ２６のベースは抵抗２８を介してプルアップされた状態となる。これによりトランジスタ２６はオン（ＯＮ）される。この時、トランジスタ２６のコレクタはＬｏｗレベルとなり、制御回路３４は、このＬｏｗレベルを示す信号を受けてホスト装置４に光トランシーバ２が接続されていないことを検出する。
【００１８】
光トランシーバ２がホスト装置４に装着され、光トランシーバ２の端子Ａ１〜端子Ａ４が、ホスト装置４の電気コネクタＢ１〜電気コネクタＢ４にぞれぞれ接続され、端子Ａ４と電気コネクタＢ４とが導通すると、トランジスタ２６のベース、端子Ａ４及び電気コネクタＢ４に共通の電位Ｖ１は、Ｖ１＝Ｖｃｃ×Ｒ１６／（Ｒ１６＋Ｒ２８）となる。Ｖｃｃは、電源Ｅ２の電位を表し、Ｒ１６は、抵抗１６の抵抗値を表し、Ｒ２８は、抵抗２８の抵抗値を表している。ここで、Ｖ１は、トランジスタ２６がオフ（ＯＦＦ）となりトランジスタ２６のコレクタがＨｉｇｈレベルとなる範囲に設定されている。ＶｃｃとＲ２８とが一定の場合、Ｒ１６が小さいほどＶ１も小さくなるので、Ｒ１６は、トランジスタ２６がオフとなるＶ１となるよう設定されている。Ｒ１６は、光トランシーバ２の機種に応じて異なっており、Ｖ１は、Ｒ１６に応じて異なる。
【００１９】
トランジスタ２６がオフとなると、トランジスタ２６のコレクタはＨｉｇｈレベルとなり、制御回路３４は、このＨｉｇｈレベルを示す信号を受けてホスト装置４に光トランシーバ２が接続されたことを検出する。制御回路３４は、トランジスタ２６からＨｉｇｈレベルを示す信号を受けると、ＡＤコンバータ３２から入力されるＶ１を示す信号に応じて、ホスト装置４に装着された光トランシーバ２の機種を検出する。電源供給回路２２は、この制御回路３４による検出結果に基づいて、光トランシーバ２の機種に応じた適正な電源Ｅ１を光トランシーバ２に供給する。
【００２０】
例えば、Ｖｃｃを３．３ボルトに設定し、Ｒ２８を３０キロオームに設定すると、Ｒ１６が５．３５キロオームの場合、Ｖ１は０．５ボルトとなり、Ｒ１６が３．５６キロオームの場合、Ｖ１は０．３５ボルトとなり、Ｒ１６が１．９３キロオームの場合、Ｖ１は０．２ボルトとなる。すなわち、光トランシーバ２の機種が、例えば短距離通信対応や長距離通信対応等の違いによって、Ａタイプ、Ｂタイプ、Ｃタイプの３種類あり、光トランシーバ２がＡタイプの場合、Ｒ１６を５．３５キロオームとし、光トランシーバ２がＢタイプの場合、Ｒ１６を３．５６キロオームとし、光トランシーバ２がＣタイプの場合、Ｒ１６を１．９３キロオームとすれば、Ｖ１の電圧が、０．５ボルトであれば、接続された光トランシーバ２はＡタイプであり、Ｖ１の電圧が、０．３５ボルトであれば、接続された光トランシーバ２はＢタイプであり、Ｖ１の電圧が、０．２ボルトであれば、接続された光トランシーバ２はＣタイプである、とい具合に、光トランシーバ２の機種を判別することが出来る。
【００２１】
従って、光トランシーバ２が、例えば短距離通信対応や長距離通信対応等の何れの機種であっても、光トランシーバ２の機種毎に設けられた抵抗１６の抵抗値Ｒ１６によって、適正な電源Ｅ１が電源供給回路２２から光トランシーバ２に供給される。このため、例えば、光トランシーバ２が短距離通信対応の機種であっても、過電圧となる電源Ｅ１がこのような光トランシーバ２に誤って供給される、という事態が回避できる。
【００２２】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００２３】
【図１】実施形態に係る光通信システムの電気的接続の概略を示す構成図である。
【符号の説明】
【００２４】
Ｅ１，Ｅ２…電源、Ａ１，Ａ２，Ａ３，Ａ４，Ａ５…端子、Ｂ１，Ｂ２，Ｂ３，Ｂ４…電気コネクタ、１…光通信システム、１０…信号処理回路、１２…受光アセンブリ、１４…発光アセンブリ、１６，２８…抵抗、１８，１９…コンデンサ、２…光トランシーバ、２０…筐体、２１…ケージ、２２…電源供給回路、２４…パケットトランシーバ回路、２６…トランジスタ、３０…プリアンプ、３２…ＡＤコンバータ、３４…制御回路、４…ホスト装置、６，８…光ファイバ。
【図１】
2008227863.tif 000003